(57)【特許請求の範囲】
【請求項１】
使用状態において水面より上方に位置する通気・排水用開口部と、水面より下方に位置するマウスピース部と、水面よりも上方または下方に位置し、下方へ向かって開放可能な逆止弁を有する排水部とが通気用の導管に形成されているスノーケルであって、
前記導管の頂部が第１管状部とこれに並行する第２管状部とで構成されて、前記両管状部が通気路を介して側方からつながっており、前記第１管状部にはその下方に前記マウスピース部が位置するとともに内面から径方向内方へ突出して前記第１管状部の長手方向へ延び、前記第１管状部の周り方向を仕切る隔壁が少なくとも一つ形成され、前記第２管状部には上下両端に前記開口部が形成されるとともに内面の前記通気路と向かい合う部位に径方向内方へ突出して前記第２管状部の長手方向へ延びる複数の隔壁が形成されていることを特徴とする前記スノーケル。
【発明の詳細な説明】
【０００１】
【発明の属する技術分野】
この発明は、遊泳時に使用するスノーケルに関する。
【０００２】
【従来の技術】
従来、遊泳時に使用するスノーケルであって、使用状態において水面より上方に位置する通気・排水用開口部と、水面より下方に位置するマウスピース部と、水面より上方または下方に位置し、下方へ向かって開放可能な逆止弁を有する排水部とが通気用導管に形成されているスノーケルは、周知である。
【０００３】
実用新案登録第２５３６３６８号公報に開示のこの種スノーケルでは、通気・排水用開口部が互いに並行する第１管状部と第２管状部とで構成されている。これら第１，２管状部は、連通部を介して側方から通気可能につながっている。第１管状部と第２管状部との間では導管が実質的に屈曲した状態にあり、通気・排水用開口からマウスピース部方向へ水が侵入しにくいように構成されている。
【０００４】
【発明が解決しようとする課題】
スノーケル使用時に水面よりも上方に位置する通気・排水用の開口部から侵入した水は、遊泳者の呼気によって排出しなければならない。それゆえ、侵入する水が多いほど、遊泳者の肉体的疲労が増す。その疲労を軽減するために、周知のスノーケルでは、前記開口部からの水の侵入を極力防止することが好ましい。前記公知スノーケルでは、導管を屈曲させることで、水の侵入を防止しているが、その防止能力を一層向上させることが好ましいことは明らかである。
【０００５】
また、周知スノーケルおよび前記公知スノーケルに共通の現象として、スノーケル内の水を呼気によって排出しようとするときに、マウスピース直下の水が呼気の作用で踊ってしまい、通気・排水用開口部へ向かって速やかに移動しないということがある。排水のための呼気がこのように無駄に使われると、遊泳者の疲労が一層増すことになる。
【０００６】
この発明では、これら従来のスノーケルにおいて生じる遊泳者の疲労を軽減すること、およびその疲労の原因を解消することを課題にしている。
【０００７】
【課題を解決するための手段】
前記課題を解決するために、この発明が前提とするのは、使用状態において水面より上方に位置する通気・排水用開口部と、水面より下方に位置するマウスピース部と、水面よりも上方または下方に位置し、下方へ向かって開放可能な逆止弁を有する排水部とが通気用の導管に形成されているスノーケルである。
【０００８】
かかる前提において、前記導管の頂部が第１管状部とこれに並行する第２管状部とで構成されて、前記両管状部が通気路を介して側方からつながっており、前記第１管状部にはその下方に前記マウスピース部が位置するとともに内面から径方向内方へ突出して前記第１管状部の長手方向へ延び、前記第１管状部の周り方向を仕切る隔壁が少なくとも一つ形成され、前記第２管状部には上下両端に前記開口部が形成されるとともに内面の前記通気路と向かい合う部位に径方向内方へ突出して前記第２管状部の長手方向へ延びる複数の隔壁が形成されていることが、この発明の特徴である。
【０００９】
【００１０】
【発明の実施の形態】
添付の図面を参照し、この発明に係るスノーケルの詳細を説明すると、以下のとおりである。
【００１１】
図１には、スノーケル１の側面と、それが使用状態にあるときの水面の位置Ｗとが示されている。スノーケル１は、図の上下方向へ延びる通気用導管２からなるもので、導管２は、上方に通気・排水用開口部３を有し、下方に後記逆止弁６が取り付けられた排水口４を有する。導管２は、排水口４の近傍に、上方へ向かって延びる分岐部７を有し、分岐部７の上端には、咬持部８を備えたマウスピース部９が形成されている。
【００１２】
かかるスノーケル１は、咬持したマウスピース部９を使用して呼吸すれば、水面Ｗより上に位置する開口部３において吸気を導入し、呼気を排出することができる。スノーケル１内に侵入した水は、瞬間的な強い呼気によって開口部３から排出することができる。深く潜水していた遊泳者が水面Ｗ近くにまで浮上して、スノーケル１が図示の状態になったときには、水面Ｗよりも上方にあるスノーケル１内の水がその水圧によって逆止弁６を開放し、排水口４から流出する。その後にスノーケル内に残った水は、呼気によって排出する。
【００１３】
図２は、開口部３近傍における導管２の部分破断斜視図である。導管２の内側には、管壁から径方向内方へ向かって突出し、開口部３に始まって導管２の長手方向へ延びる隔壁１１が形成されている。隔壁１１は、導管２の周り方向を仕切るもので、それが図示のように複数である場合には、前記長手方向へ互いに並行して延びるように形成される。かかる隔壁１１は、開口部３からの水の侵入を妨げる邪魔板として作用すると同時に、開口部３から呼気によって排出される水や吸気として進入する新鮮空気を整流し、遊泳者の呼吸を楽にすることができる。
【００１４】
図３，４は、マウスピース部９近傍の部分破断側面図と、同図のＩＶ−ＩＶ線切断面を示す図である。マウスピース部９は、導管２の分岐部７につながる呼吸口１３を有し、呼吸口１３と向かい合う導管２の管壁内面には、第２の隔壁１２が形成されている。第２隔壁１２は、導管２の周り方向を仕切るもので管壁内面から径方向内方へ突出し、導管２の長手方向へ延びている。第２隔壁１２は、少なくとも１つあればよいが、それが図示のように複数であるときには、導管２の長手方向に沿って互いに並行するように形成される。第２隔壁１２を有するスノーケル１では、導管２内の水を強い呼気によって排出しようとするときに、呼吸口１３直下の水は、その呼気で徒に踊ることがなく、第２隔壁１２に沿って整流され、開口３方向へ速やかに移動する。このように、水の排出に呼気を効率よく使うことによって、遊泳者の疲労を軽減することができる。
【００１５】
導管２の下端部に形成された排水口４には、導管２の外側から逆止弁６が取り付けられている。逆止弁６は、柔軟弾性材料からなるもので、下方に向かって開く。
【００１６】
図５，６，７は、この発明の実施態様の一例を示すスノーケル５１の側面図と、このスノーケル５１の通気・排水用開口部３近傍の部分破断側面図と、部分破断斜視図とである。スノーケル５１の構造は、通気・排水用開口部３の近傍を除けば、図１のスノーケル１のそれと同じである。スノーケル５１の開口部３近傍の構造は、前記実用新案登録第２５３６３６８号公報に開示のものとほぼ同じであって、導管２の頂部が第１管状部５３とこれに並行する第２管状部５４とで構成され、両部５３，５４が通気路５６を介して側方からつながっている。開口部３は、第２管状部５４の上下両端の開口部３Ａ，３Ｂからなり、これら両開口３Ａ，３Ｂのいずれからも通気・排水可能である。第２管状部５４の内壁には、通気路５６と向かい合う部位から径方向内方へ突出し、第２管状部５４の長手方向へ延びる複数の第１隔壁１１が形成されている。かかる第１隔壁１１は、開口部３からの水の侵入の妨げとなり、また、第２管状部に侵入した水を上下方向へ整流して、第１管状部５３方向へ飛散しにくくすることができる。
【００１７】
図示例のスノーケル５１は、第１隔壁１１と第２隔壁１２とを備えているから、第１隔壁１１によって水の侵入を防いで遊泳者の疲労を軽減することができることに加え、第２隔壁１２によって呼気による排水の効率を向上させることでも遊泳者の疲労を軽減することができる。
【００１８】
図８は、図１のＶＩＩＩ−ＶＩＩＩ線矢視図であって、（Ａ）〜（Ｄ）によって第１隔壁１１の各種態様が示されている。図の（Ａ）では、複数の第１隔壁１１が、図の水平方向で互いに並行するものと、上下方向で互いに向かい合うものとの２つで構成されている。（Ｂ）では、複数の第１隔壁１１が、導管２の中心へ向かって突出している。（Ｃ）では、第１隔壁１１が１つであって、やや屈曲している。（Ｄ）では、第１隔壁が１つであって、中心へ向かって真直ぐに突出している。
【００１９】
【発明の効果】
この発明に係るスノーケルは、第１隔壁によって水の侵入を防ぐことと、第２隔壁によって呼気による排水の効率を向上させることとによって、遊泳者の疲労を軽減することができる。
【図面の簡単な説明】
【図１】スノーケルの側面図。
【図２】スノーケル頂部の部分破断斜視図。
【図３】スノーケルのマウスピース部近傍の部分破断側面図。
【図４】図３のＩＶ−ＩＶ線切断面を示す図。
【図５】実施態様の一例を示す図１と同様の側面図。
【図６】図５の頂部の部分破断側面図。
【図７】図５の頂部の部分破断斜視図。
【図８】（Ａ）〜（Ｄ）によって実施態様を示す、図１のＶＩＩＩ−ＶＩＩＩ線矢視図。
【符号の説明】
１      スノーケル
２      導管
３      開口部
４      排水口
６      逆止弁
９      マウスピース部
１１    隔壁
１２    隔壁
１３    呼吸口
【図１】
0003544851.tif 000002
【図２】
0003544851.tif 000003
【図３】
0003544851.tif 000004
【図４】
0003544851.tif 000005
【図５】
0003544851.tif 000006
【図６】
0003544851.tif 000007
【図７】
0003544851.tif 000008
【図８】
0003544851.tif 000009